(57)【要約】      （修正有）【課題】裏返し着用状態でも袖口を引き絞り封止でき、表向き着用状態との優劣がないリバーシブル雨衣の袖口封止構造を提供する。【解決手段】袖口（１３）を形作る環状生地（Ｍ）の表面へ、締め付けバンド（１８）の根元部を縫い付け、そのバンド（１８）により袖口（１３）を引き絞り封止するリバーシブル雨衣において、上記ハンド（１８）の先端部に表裏一対の雄側面ファスナー（２０ｆ）（２０ｒ）を縫い付ける一方、その面ファスナー（２０ｆ）（２０ｒ）と着脱自在に固着される表裏一対の雌側面ファスナー（１６ｆ）（１６ｒ）を上記環状生地（Ｍ）へ縫い付けると共に、上記バンド（１８）を表裏方向へ抜き差し操作できるバンド挿通用スリット（２２）を、上記環状生地（Ｍ）における雌側面ファスナー（１６ｆ）（１６ｒ）とバンド（１８）の根元部との隣り合う相互間へ切り抜き開口させた。【選択図】図８
0003116099.tif 000002
【実用新案登録請求の範囲】
【請求項１】
袖口（１３）を形作る環状生地（Ｍ）の表面へ、締め付けバンド（１８）の根元部を縫い付け、その締め付けバンド（１８）により上記袖口（１３）を引き絞り封止するリバーシブル雨衣において、
上記締め付けバンド（１８）の自由な先端部に表裏一対の面ファスナー（２０ｆ）（２０ｒ）を縫い付ける一方、その面ファスナー（２０ｆ）（２０ｒ）と雌雄関係に対応する表裏一対の面ファスナー（１６ｆ）（１６ｒ）を、上記環状生地（Ｍ）に縫い付ける共に、
上記締め付けバンド（１８）を表裏方向へ抜き差し操作できるバンド挿通用スリット（２２）を、上記環状生地（Ｍ）における面ファスナー（１６ｆ）（１６ｒ）と締め付けバンド（１８）の根元部との隣り合う相互間へ切り抜き開口させて、
表向き着用状態では上記締め付けバンド（１８）の裏側面ファスナー（２０ｒ）を上記環状生地（Ｍ）の表側面ファスナー（１６ｆ）へ押え付け固着させる一方、
裏返し着用状態では上記締め付けバンド（１８）をそのバンド挿通用スリット（２２）から表側へ抜き出して、その表側面ファスナー（２０ｆ）を上記環状生地（Ｍ）の裏側面ファスナー（１６ｒ）へ押え付け固着させるように定めたことを特徴とするリバーシブル雨衣の袖口封止構造。
【請求項２】
袖口（１３）の環状生地（Ｍ）をシャーリングの縫い込みによる伸縮帯域（１４）と、その余の非伸縮帯域（１５）に２分して、その伸縮帯域（１４）の一端部に根元部を縫い付けた締め付けバンド（１８）の自由な先端部へ、雄側となる表裏一対の面ファスナー（２０ｆ）（２０ｒ）を縫い付ける一方、
その締め付けバンド（１８）の雄側面ファスナー（２０ｆ）（２０ｒ）よりも広大な面積の雌側となる表裏一対の面ファスナー（１６ｆ）（１６ｒ）を、上記環状生地（Ｍ）の非伸縮帯域（１５）へ縫い付けたことを特徴とする請求項１記載のリバーシブル雨衣の袖口封止構造。
【考案の詳細な説明】
【技術分野】
【０００１】
本考案は裏返しても着用できるリバーシブル雨衣の袖口封止構造に関する。
【背景技術】
【０００２】
防水性を発揮する表向き着用状態と、防寒性を発揮する裏返し着用状態との使い分け可能なリバーシブル雨衣は、既に公知である。
【０００３】
そして、このような雨衣の従来品では、図１０〜１２に示す如く、袖口（１）の環状生地（２）に縫い込まれたシャーリング（３）を引き絞り封止できるようにするため、締め付けバンド（４）の根元部が環状生地（２）の表面に縫い付けられており、その締め付けバンド（４）の先端部に裏付けされている雄側の面ファスナー（５）を、上記環状生地（２）の表面に縫い付けられている対応的な雌側の面ファスナー（６）へ、着脱自在に押え付け固着するようになっている。
【考案の開示】
【考案が解決しようとする課題】
【０００４】
ところが、上記構造の場合雨衣の表向き着用状態では、その締め付けバンド（４）により袖口（１）を引き絞り封止して、雨水の浸入を予防できるけれども、これを反転した裏返し着用状態では、図１２のように締め付けバンド（４）が環状生地（２）の裏側（内周面）に位置することとなるため、もはやこれを使って、袖口（１）を引き絞り封止することができない。
【０００５】
その結果、袖口（１）が通風状態に開放され、例えば道路工事などの屋外作業中や、二輪車に座乗しての走行中、防寒効果を達成し難く、その雨衣の表向き着用状態と裏返し着用状態に機能上の優劣が発生してしまうのであり、商品価値が低下する。
【課題を解決するための手段】
【０００６】
本考案はこのような課題の改良を目的としており、その目的を達成するため、請求項１では袖口を形作る環状生地の表面へ、締め付けバンドの根元部を縫い付け、その締め付けバンドにより上記袖口を引き絞り封止するリバーシブル雨衣において、
【０００７】
上記締め付けバンドの自由な先端部に表裏一対の面ファスナーを縫い付ける一方、その面ファスナーと雌雄関係に対応する表裏一対の面ファスナーを、上記環状生地に縫い付ける共に、
【０００８】
上記締め付けバンドを表裏方向へ抜き差し操作できるバンド挿通用スリットを、上記環状生地における面ファスナーと締め付けバンドの根元部との隣り合う相互間へ切り抜き開口させて、
【０００９】
表向き着用状態では上記締め付けバンドの裏側面ファスナーを上記環状生地の表側面ファスナーへ押え付け固着させる一方、
【００１０】
裏返し着用状態では上記締め付けバンドをそのバンド挿通用スリットから表側へ抜き出して、その表側面ファスナーを上記環状生地の裏側面ファスナーへ押え付け固着させるように定めたことを特徴とする。
【００１１】
又、請求項２では上記請求項１に従属する構成として、袖口の環状生地をシャーリングの縫い込みによる伸縮帯域と、その余の非伸縮帯域に２分して、その伸縮帯域の一端部に根元部を縫い付けた締め付けバンドの自由な先端部へ、雄側となる表裏一対の面ファスナーを縫い付ける一方、
【００１２】
その締め付けバンドの雄側面ファスナーよりも広大な面積の雌側となる表裏一対の面ファスナーを、上記環状生地の非伸縮帯域へ縫い付けたことを特徴とする。
【考案の効果】
【００１３】
請求項１の上記構成によればリバーシブル雨衣の表向き着用時締め付けバンドの裏側面ファスナーを、環状生地の表側面ファスナーへ押え付け固着させて、その袖口を雨水の浸入しない引き絞り封止状態に保てることは勿論、裏返し着用時には上記締め付けバンドを環状生地のバンド挿通用スリットから表側へ抜き出して、その先端部の表側面ファスナーを環状生地の対応的な裏側面ファスナーへ押え付け固着させることにより、その袖口を通風しない引き絞り封止状態に保つこともでき、リバーシブル雨衣の表向き着用状態と裏返し着用状態との相互間において、従来品のような機能上の優劣が発生しないのであり、商品価値と利便性が著しく向上する。
【００１４】
しかも、表向き着用時と裏返し着用時との相互間では、左右一対の袖口が位置変換される関係上、締め付けバンドによる袖口の引き絞り封止状態は常に実質上同じ外観体裁となり、着用者に違和感を与えるおそれもない。
【００１５】
又、上記効果を達成するための必要構成としても、従来品に対して締め付けバンドの表側面ファスナーと、環状生地の裏側面ファスナーとを追加すると共に、その環状生地にバンド挿通用スリットを切り抜き開口させれば足り、量産効果を最大限に発揮させることができる。
【００１６】
特に、請求項２の構成を採用するならば、袖口を形作る環状生地の非伸縮帯域において、その締め付けバンドの面ファスナーと着脱自在に固着される広大な面積の面ファスナーにより、袖口の引き絞り量を無段階での便利良く調整でき、着用者の手首に対する対応性が広がるほか、その環状生地の面ファスナーは雌側として、硬い針状の雄側面ファスナーに比し、柔軟なマット形態をなすため、これが着用者の手首に触れて、痛みを与えるおそれもない。
【考案を実施するための最良の形態】
【００１７】
以下、図面に基いて本考案の具体的構成を詳述すると、図１はその本考案に係るリバーシブル雨衣の上着（Ａ）を示しており、表向き着用状態では防水性を発揮し、裏返し着用状態では防寒性を発揮し得るように作成・加工されている。（１１）は防水性を有する開閉用スライドファスナー、（１２）は左右一対のポケット、（１３）は同じく左右一対の袖口である。
【００１８】
茲に、袖口（１３）の各個は図２〜９に拡大して示す如く、一定な帯幅（Ｗ）の環状生地（Ｍ）から形作られており、そのほぼ半円周分がシャーリングの縫い込まれた伸縮帯域（１４）として、伸縮できるようになっている。
【００１９】
しかも、その環状生地（Ｍ）における残余の非伸縮帯域（１５）には、雌側となる表裏一対の面ファスナー（商品名：マジックテープ（登録商標））（１６ｆ）（１６ｒ）が好ましくは互いに同じ一定面積と位置関係のもとで、その環状生地（Ｍ）を挟む状態に縫い付けられている。（１７）はその雌側面ファスナー（１６ｆ）（１６ｒ）を縁取る状態の縫い糸である。
【００２０】
又、（１８）は袖口（１３）の引き絞り封止用締め付けバンドであって、その根元部が上記環状生地（Ｍ）における非伸縮帯域（１５）の表面へ、望ましくは上記伸縮帯域（１４）の一端部と重合状態に縫い付けられている。（１９）はその締め付けバンド（１８）の縫い糸を示している。
【００２１】
他方、締め付けバンド（１８）がその根元部から上記表側の面ファスナー（１６ｆ）に向かって一定長さ（Ｌ）だけ張り出す自由な先端部には、雄側となる表裏一対の面ファスナー（商品名：マジックテープ（登録商標））（２０ｆ）（２０ｒ）がやはり好ましくは互いに同じ一定面積と位置関係のもとで、その締め付けバンド（１８）を挟む状態に縫い付けられている。（２１）はその雄側面ファスナー（２０ｆ）（２０ｒ）を縁取る状態の縫い糸である。
【００２２】
その場合、上記環状生地（Ｍ）に縫い付けられた表裏一対の面ファスナー（１６ｆ）（１６ｒ）と、締め付けバンド（１８）に縫い付けられた表裏一対の面ファスナー（２０ｆ）（２０ｒ）とは互いに対応して、着脱自在に押え付け固着される限り、その雌雄関係を逆に設定してもさしつかえないが、環状生地（Ｍ）の面ファスナー（１６ｆ）（１６ｒ）を比較的硬い針状の雄側として縫い付けると、これが着用者の手首に触れて痛みを与えるため、好ましくない。
【００２３】
何れにしても、環状生地（Ｍ）に縫い付けられた面ファスナー（１６ｆ）（１６ｒ）の面積は、締め付けバンド（１８）に縫い付けられた面ファスナー（２０ｆ）（２０ｒ）の面積りも広大として、袖口（１３）の引き絞り量を無段階に調整できるようになっている。
【００２４】
更に、（２２）は上記環状生地（Ｍ）に縫い付けられた面ファスナー（１６ｆ）（１６ｒ）の一端部と、締め付けバンド（１８）の根元部との隣り合う相互間に介在する位置関係として、その環状生地（Ｍ）の非伸縮帯域（１５）に切り抜き開口されたバンド挿通用スリットであり、上記締め付けバンド（１８）の先端部をここから表裏方向へ抜き差し操作できるようになっている。そのスリット（２２）の開口縁部が縁かがり縫いされていることは、言うまでもない。
【００２５】
本考案に係るリバーシブル雨衣の上着（Ａ）は上記構成の袖口（１３）を備えており、今その表向き着用状態において、袖口（１３）を着用者の手首へ密着させるべく、引き絞り封止する当っては、上記締め付けバンド（１８）を片手により引き寄せて、その先端部に縫い付けられている裏側の面ファスナー（２０ｒ）を、環状生地（Ｍ）の非伸縮帯域（１５）に縫い付けられている表側の面ファスナー（１６ｆ）へ、そのまま図３、５のように上方から押え付け固着すれば良く、そうすればバンド挿通用スリット（２２）が締め付けバンド（１８）により被覆されると共に、袖口（１３）は雨水の浸入しない封止状態に保たれることとなる。
【００２６】
上記表向き着用状態からリバーシブル雨衣の上着（Ａ）を裏返しただけの当初には、締め付けバンド（１８）の裏側面ファスナー（２０ｒ）と環状生地（Ｍ）の表側面ファスナー（１６ｆ）とが、未だ図９のような上記固着状態のままで反転するにとどまり、その締め付けバンド（１８）は環状生地（Ｍ）の裏側（内周面）に位置することとなる結果、これによって袖口（１３）を引き絞り封止操作することは不可能である。
【００２７】
そこで、裏返し着用状態では図９から図６〜８のように、上記締め付けバンド（１８）の先端部を環状生地（Ｍ）の非伸縮帯域（１５）に開口するバンド挿通用スリット（２２）から、片手により一旦表側へ抜き出した上、その締め付けバンド（１８）の表側面ファスナー（２０ｆ）を環状生地（Ｍ）の裏側面ファスナー（１６ｒ）へ、やはり上方から押え付け固着することにより、その袖口（１３）を通風しない引き絞り状態に封止するのである。
【００２８】
何れにしても、表向き着用状態と裏返し着用状態との相互間では、左側の袖口（１３）が右側のそれとして、右側の袖口（１３）が左側のそれとして、その位置変換されることになるため、上記締め付けバンド（１８）の根元部から先端部へ張り出す方向性は互いに同じとなり、そのため外観体裁上の違和感を覚えることなく、これを環状生地（Ｍ）へ一様に押え付け固着することができる。
【００２９】
尚、図６〜８の裏返し着用状態から図２〜５の表向き着用状態へ反転復帰させる場合には、先の表側へ抜き出されている締め付けバンド（１８）の先端部を、その環状生地（Ｍ）のバンド挿通用スリット（２２）から、逆に裏側へ差し込んだ上、その締め付けバンド（１８）の裏側面ファスナー（２０ｒ）を環状生地（Ｍ）の表側面ファスナー（１６ｆ）へ、再度押え付け固着すれば良い。
【図面の簡単な説明】
【００３０】
【図１】本考案に係るリバーシブル雨衣の全体概略正面図である。
【図２】表向き着用時における引き絞り操作前の状態を示す斜面図である。
【図３】図２から袖口を引き絞り封止した状態の斜面図である。
【図４】図２の４−４線断面図である。
【図５】図３の５−５線断面図である。
【図６】裏返し着用時における引き絞り操作前の状態を示す斜面図である。
【図７】図６から袖口を引き絞り封止した状態の斜面図である。
【図８】図７の８−８線断面図である。
【図９】表向き着用状態から裏返し反転した当初の状態を示す断面図である。
【図１０】従来品の袖口を示す図２に対応する斜面図である。
【図１１】図１０から袖口を引き絞り封止した状態の斜面図である。
【図１２】従来品の裏返し着用状態を示す断面図である。
【符号の説明】
【００３１】
（１１）・スライドファスナー
（１３）・袖口
（１４）・伸縮帯域（シャーリング）
（１５）・非伸縮帯域
（１６ｆ）（１６ｒ）（２０ｆ）（２０ｒ）・面ファスナー
（１７）（１９）（２１）・縫い糸
（１８）・締め付けバンド
（２２）・バンド挿通用スリット
（Ａ）・リバーシブル雨衣の上着
（Ｍ）・環状生地
【図１】
0003116099.tif 000003
【図２】
0003116099.tif 000004
【図３】
0003116099.tif 000005
【図４】
0003116099.tif 000006
【図５】
0003116099.tif 000007
【図６】
0003116099.tif 000008
【図７】
0003116099.tif 000009
【図８】
0003116099.tif 000010
【図９】
0003116099.tif 000011
【図１０】
0003116099.tif 000012
【図１１】
0003116099.tif 000013
【図１２】
0003116099.tif 000014